(57)【特許請求の範囲】
【請求項１】
スピゴットを受け取るためのコネクタ本体であって、前記コネクタ本体は前記スピゴットを前記コネクタ本体に保持するための機構を含むコネクタ本体と、
前記コネクタ本体と結合された液体移送導管と、
加熱要素がコネクタ・アセンブリ内部から加熱するように、前記スピゴットが前記コネクタ本体に保持されるとき、前記液体移送導管の内部を通ってさらに前記コネクタ本体およびスピゴット内に延びる前記加熱要素と、
を備え、流体移送導管内の加熱要素の電源に接続された第１の部分と、スピゴット内の加熱要素の電源に接続された第２の部分は、それぞれコネクタ本体に形成された突出部を介して突出するコネクタ・アセンブリ。
【請求項２】
前記加熱要素に通電するために、電源線が前記加熱要素に電気的に結合する請求項１に記載のコネクタ・アセンブリ。
【請求項３】
前記加熱要素が前記コネクタ本体の自由コネクション端部を通り越して延びる請求項１に記載のコネクタ・アセンブリ。
【請求項４】
前記液体移送導管が第２のコネクタ本体と結合する第２の端部を有する請求項１に記載のコネクタ・アセンブリ。
【請求項５】
ハウジングが前記コネクタ本体の少なくとも一部分を囲む請求項１に記載のコネクタ・アセンブリ。
【請求項６】
前記加熱要素が前記第２のコネクタ本体の自由コネクタ端部を通りさらに通り越して延びる請求項４に記載のコネクタ・アセンブリ。
【請求項７】
前記第１の部分は、前記コネクタ本体に形成された第１の突出部を介して突出し、前記第２の部分は、前記コネクタ本体に形成された第２の突出部を介して突出する、請求項１に記載のコネクタ・アセンブリ。
【発明の詳細な説明】
【技術分野】
【０００１】
＜関連出願の相互参照＞
本願は、２０１５年７月２０日に出願された米国特許仮出願第６２／１９４，４３４号の利益を主張するものである。上記出願の開示全体は、参照により本願に組み込まれる。
【０００２】
本開示は、クイック・コネクタ・アセンブリ、特に加熱コネクタ本体を有するクイック・コネクタ・アセンブリに関する。
【背景技術】
【０００３】
自動車産業においては、導管の端部を様々な要素と接続するために様々なタイプのクイック・コネクタが利用されている。いくつかの例においては、加熱管路が望まれる。これらのケースでは、導管内の液体が外気温度で凍結する。フロントガラスのワイパー洗浄システム用の送水管およびＳＣＲＳ触媒コンバータを有するディーゼル・エンジン用のＮＯ還元添加剤に使用される尿素水溶液供給管などの環境では、これらのタイプの加熱導管が望まれる。したがって、分配要素またはスピゴットを温めるために加熱可能なクイック・コネクタを提供することが望ましい。
【発明の概要】
【発明が解決しようとする課題】
【０００４】
本開示は、クイック・コネクタ本体およびスピゴットの加熱を可能とするクイック・コネクタ・アセンブリによる技術を提供する。
【０００５】
本開示は、クイック・コネクタ本体およびスピゴットが、コネクタ・アセンブリの内部から加熱されることを可能とする。本開示は、コネクタ・アセンブリで行われる電源接続を提供する。
【課題を解決するための手段】
【０００６】
本開示の第一の目的によれば、コネクタ・アセンブリはスピゴットを受け取るためのコネクタ本体を備える。コネクタ本体はスピゴットをコネクタ本体に保持するための機構を含む。液体移送導管はコネクタ本体に結合される。加熱要素は液体移送導管を通ってさらにコネクタ本体内に延びる。こうして、加熱要素がスピゴットと同じくコネクタ本体をコネクタ・アセンブリ内部から加熱する。加熱要素に通電するために、電源線がコネクタ本体を通って延び、加熱要素に電気的に結合してもよい。加熱要素はコネクタ本体の自由コネクション端部を通り越して延びる。液体移送導管は第２のコネクタ本体と結合する第２の端部を有する。加熱要素は第２のコネクタ本体の自由コネクタ端部を通り越して延びる。さらに、ハウジングがコネクタ本体の少なくとも一部分を囲んでもよい。
【０００７】
本開示の第二の態様によれば、コネクタ・アセンブリはスピゴットを受け取るためのコネクタ本体を備える。コネクタ本体はスピゴットをコネクタ本体に保持するための機構を含む。加熱要素はコネクタ本体を通って延び、スピゴットがコネクタ本体に保持されるとき、さらにスピゴット内部を通る。加熱要素はコネクタ本体およびスピゴットをコネクタ・アセンブリ内部から加熱する。加熱要素に通電するために、電源線がコネクタ本体を通って延び、加熱要素に電気的に結合する。加熱要素はコネクタ本体の自由コネクション端部を通り越して延びる。ハウジングがコネクタ本体の少なくとも一部分を囲む。
【発明の効果】
【０００８】
クイック・コネクタ本体およびスピゴットが、コネクタ・アセンブリの内部から加熱されることを可能とする。
【０００９】
さらなる応用分野が、本明細書で提供された記述から明らかになるであろう。本概要の記述および特定の例は例示の目的のみを意図するものであり、本開示の範囲の制限を意図するものではない。
【００１０】
本明細書に添付の図面は選択された実施形態の例示のみを目的とするものであり、全ての可能な実装ではなく、本開示の範囲の制限を意図するものでもない。
【図面の簡単な説明】
【００１１】
【図１】本開示に係るコネクタ・アセンブリの斜視図である。
【図２】図１と同様の図であり、ハウジングの一部分が除かれている。
【図３】図１のコネクタ・アセンブリの断面図である。
【図４】別の実施形態の斜視図である。
【図５】図４と同様の図であり、ハウジングの一部分が除かれている。
【図６】図４のコネクタ・アセンブリの断面図である。
【発明を実施するための形態】
【００１２】
添付の図面を参照しながら、実施形態例についてより完全に説明する。
【００１３】
各図面を見ると、コネクタ・アセンブリが図示されており、参照符号１０で示されている。コネクタ・アセンブリはコネクタ本体１２およびコネクタ本体１２に受け取られているスピゴット１４を含む。ハウジング１６はコネクタ本体１２の一部分を覆う。コネクタ本体１２の端部１８は、クランプ１９を介して、液体移送導管２０と接続されている。加熱線３０は液体移送導管２０およびコネクタ・アセンブリ１０に通されている。
【００１４】
コネクタ本体１２はスピゴット１４をコネクタ本体に保持するための機構２２を含む。シール２４はスピゴットをコネクタ本体１２内にシールするために存在する。スピゴット１４は導管、ノズル等に接続されてもよい。コネクタ本体１２はＬ型をしている。加熱線３０はコネクタ本体１２を通ってさらにスピゴット１４内に延びる。加熱線の端部２８はコネクタ本体１２の自由コネクタ端部２６を通り越して延びる。このようにして、加熱線３０はコネクタ本体１２およびスピゴット１４をコネクタ・アセンブリ１０の内部から加熱する。
【００１５】
加熱線３０の部分３２は突出部３１を介してコネクタ本体１２から出る。図２および３からわかるように、２つの部分３２がコネクタ本体１２から出ている。各部分３２は、互いに隣接し得る。各部分３２はコネクタ本体１２に固定されている線３４、３６を有する。線３４、３６はチャネル３５、３７に固定されてもよい。チャネル３５、３７はコネクタ３８を受け取り、コネクタ３８は線３４、３６を互いに、または電源（図示せず）に接続されている線４０、４２と接続することを可能とする。加えて、諸線およびコネクタ３８が追加の抵抗加熱を提供してもよい。
【００１６】
ハウジング１６は非対称のクラム・シェル設計である。ハウジング１６は２つの半部４６、４８を含む。半部４６はコネクタ本体１２の一部分を覆う。半部４８はコネクタ本体１２の残りの部分を覆う。２つの半部４６、４８はヘッド部分４９を形成するために接合する。ヘッド部分４９はコネクタ突出部３１の１つおよび線端部分３２に空間を提供する。半部４８はさらに、もう一方のコネクタ突出部３１および加熱線３０の端部分３２に空間を提供するバンプ５０を含む。このようにして、ハウジング１６はコネクタ本体１２、線３４、３６および電気コネクタ３８を覆う。液体移送導管２０は一般的に、導管２０の各端部に１つずつ、一対のコネクタ・アセンブリ１０を含む。ここでは、１つのみが図示されている。
【００１７】
図面４〜６を見ると、追加の実施形態が示されている。図４〜６の実施形態は、コネクタ本体１１２が真っ直ぐまたは軸状であり、図１のようにＬ型ではない点で図１〜３の実施形態と異なる。したがって、第一の実施形態で利用されたのと同じ参照符号が、第二の実施形態で利用される。コネクタ本体１１２を囲うハウジング７０は、２つの半部７２、７４のクラム・シェル設計を有する。半部７２、７４の両方はコネクタ突出部３１および加熱線３０の端部分３２に空間を提供するバンプ７６、７８を含む。
【００１８】
前述の実施形態の記述は例示および説明の目的のために提供されている。本開示を網羅または制限することを意図するものではない。特定の実施形態の個々の要素または特徴は、一般にその特定の実施形態に限られるものではなく、該当する場合は、たとえ具体的に表示または説明されていなくても、置き換え可能であり、選択された実施形態での使用が可能である。同じことが多くの形でさらに変化し得る。そのような変化は当該開示からの逸脱として見なされるべきではなく、そのような変更はすべて当該開示の範囲内に含まれるものと意図されている。
【符号の説明】
【００１９】
１０  コネクタ・アセンブリ
１２  コネクタ本体
１４  スピゴット
１６  ハウジング
２２  機構
４６、４８  半部
４９  ヘッド部分
５０  バンプ
【図１】
0006764275.tif 000002
【図２】
0006764275.tif 000003
【図３】
0006764275.tif 000004
【図４】
0006764275.tif 000005
【図５】
0006764275.tif 000006
【図６】
0006764275.tif 000007